(57)【要約】  【課題】本発明の目的は、想定した外観又は配置により異なる発光効果を与えるように、自らの外観及び配置を変えることができる照明デバイスを提供することである。  【解決手段】強磁性を有する支持体又はベース体（２）と、磁気引力により前記支持体（２）へ反転可能に取付け可能な１つ以上の固着体（４０）と、１つ以上の光源（３）を支持及び／又は遮蔽するための構造体（４、４’、４”）と、を具備する照明デバイスであって、前記構造体（４）は、前記支持体又はベース体（２）への様々な配置により固着された前記固着体（４０）によって前記支持体又はベース体（２）への安定取付けが可能であることを特徴とする照明デバイス。  【選択図】図４
2009526348.tif 000002
【特許請求の範囲】
【請求項１】
−強磁性を有する支持体又はベース体（２）と、
−磁気引力により前記支持体（２）へ反転可能に取付け可能な1つ以上の固着体（４０）と、
−１つ以上の光源（３）を支持及び／又は遮蔽するための構造体（４，４’，４”）と、
を具備する照明デバイスであって、前記構造体（４）は、前記支持体又はベース体（２）への様々な配置により固着された前記固着体（４０）によって前記支持体又はベース体（２）への安定取付けが可能であることを特徴とする照明デバイス。
【請求項２】
前記固着体（４０）が、磁石を具備することを特徴とする請求項１に記載の照明デバイス。
【請求項３】
光源を支持及び／又は遮蔽するための前記構造体（４）が、柔軟性のあるもの、又は成形可能なもの（４）であることを特徴とする請求項１に記載の照明デバイス。
【請求項４】
支持及び／又は遮蔽のための前記構造体（４）が、織物又は布によって得られることを特徴とする請求項１に記載の照明デバイス。
【請求項５】
支持及び／又は遮蔽のための前記構造体（４）が、プラスチック素材によって得られることを特徴とする請求項１に記載の照明デバイス。
【請求項６】
支持及び／又は遮蔽のための前記構造体（４）が、実質的に網様の形状であることを特徴とする請求項１に記載の照明デバイス。
【請求項７】
支持及び／又は遮蔽のための前記構造体（４）が、連続展開することを特徴とする請求項１に記載の照明デバイス。
【請求項８】
前記ベース体（２）が、実質的に網様の形状であることを特徴とする請求項１に記載の照明デバイス。
【請求項９】
前記ベース体（２）が、連続展開することを特徴とする請求項１に記載の照明デバイス。
【請求項１０】
前記光源（３）が、前記構造体（４）を介して支持され、ＬＥＤ型の光源であることを特徴とする請求項１に記載の照明デバイス。
【請求項１１】
前記光源（３）が、前記構造体（４）に組み込まれ、前記構造体（４）と一体的に構成されることを特徴とする請求項１に記載の照明デバイス。
【請求項１２】
前記光源（３）が、前記構造体（４）へ反転可能に取付け可能であることを特徴とする請求項１に記載の照明デバイス。
【請求項１３】
前記光源（３）が、前記固着体（４０）へ取付けられることを特徴とする請求項１〜１２のいずれか１項記載の照明デバイス。
【請求項１４】
前記構造体（４）が、前記ベース体（２）と前記固着体（４０）との間に挿入配置されることを特徴とする請求項１〜１３のいずれか１項記載の照明デバイス。
【請求項１５】
前記ベース体（２）が、金属板によって形成され、前記金属板には完全な切れ目又は不完全な切れ目によって形成された一連の線（２１）が設けられ、前記線（２１）は前記照明デバイス（１）の前記光源（３）の包含に適した中空体を画定しやすいように、折り曲げ可能な部分を規定するものであることを特徴とする請求項１〜１４のいずれか１項記載の照明デバイス。
【請求項１６】
前記ベース体（２）の組立て時において、前記線（２１）が、前記ベース体（２）の周長にわたって延伸するレール又はガイド（２３）を規定する複数の周縁部（２５）を規定し、前記ガイド（２３）が前記固着体（４０）の受入れに適していることを特徴とする請求項１５に記載の照明デバイス。
【請求項１７】
支持又は遮蔽のための前記構造体が、透明及び／又は着色された材料によって作られた筒状部材（４”）で形成され、前記筒状部材の両端部に設けられた磁石（４０）を介して前記ベース体（２）への取付けが可能であることを特徴とする請求項１に記載の照明デバイス。
【請求項１８】
支持又は遮蔽のための前記構造体が、前記光源（３）から生じた明かりを遮蔽するために、前記磁石（４０）により前記ベース体（２）への取付けが可能な複数の部材（４’）からなることを特徴とする請求項１に記載の照明デバイス。
【請求項１９】
前記部材（４’）が、メモ用紙（４６）を付けられるような付加体（４５）を備えることを特徴とする請求項１８に記載の照明デバイス。
【請求項２０】
前記部材（４’）が、互いに結合可能な形状であることを特徴とする請求項１８に記載の照明デバイス。
【請求項２１】
複数の孔（２４１）により図案及び／又は文字が表された追加スクリーン（２４０）を具備し、前記追加スクリーン（２４０）が、前記図案及び／又は文字を前記構造体（４）上に投影するように、前記光源（３）と対応する前記ベース体（２）へ取付け可能であることを特徴とする請求項１５に記載の照明デバイス。
【請求項２２】
前記ベース体（２）が磁気を帯び、前記ベース体（２）に対する前記構造体（４）の前記固着体（４０）が金属性であることを特徴とする請求項１に記載の照明デバイス。
【請求項２３】
前記ベース体（２）が、位置変更の可能な１つ以上の付属体又はアーム（２２０’）を備え、前記アームが保管又は搬送の段階においては収納され、使用形態においては大きくなることを特徴とする請求項１に記載の照明デバイス。
【発明の詳細な説明】
【技術分野】
【０００１】
本発明は、照明デバイスに関するものである。
【背景技術】
【０００２】
現在市販されている照明デバイスは、加減抵抗器又は調節器によって明るさを固定又は変化可能にする電灯、概して白熱灯又はハロゲンランプからなる。このような照明デバイスにおいて、たいていはそのランプの外観を変えることはできない。すなわち、その配置、光拡散の様式、光と影の効果又はそれらがもたらすキアロスクーロ（明暗対照法）を変化させることができない。
【発明の開示】
【発明が解決しようとする課題】
【０００３】
本発明の目的は、意図した外観又は配置により異なる発光効果を与えるように、自らの外観及び配置を変えることができる照明デバイスを提供することである。
【課題を解決するための手段】
【０００４】
この成果は、請求項１に記載の特徴を有する照明デバイスを作動させる着想の本発明により得られた。別の特徴は従属請求項において対象とされている。
【０００５】
すなわち、本発明の請求項１に係る照明デバイスは、
−強磁性を有する支持体又はベース体（２）と、
−磁気引力により前記支持体（２）へ反転可能に取付け可能な多数の固着体（４０）と、
−１つ以上の光源（３）を支持及び／又は遮蔽するための構造体（４，４’，４”）と、
を具備する照明デバイスであって、前記構造体（４）は、前記支持体又はベース体（２）への様々な配置により固着された前記固着体（４０）によって前記支持体又はベース体（２）への安定取付けが可能であることを特徴とする。
【０００６】
本発明の請求項２に係る照明デバイスは、前記固着体（４０）が、磁石を具備することを特徴とする。
【０００７】
本発明の請求項３に係る照明デバイスは、光源を支持及び／又は遮蔽するための前記構造体（４）が、柔軟性のあるもの、又は成形可能なもの（４）であることを特徴とする。
【０００８】
本発明の請求項４に係る照明デバイスは、支持及び／又は遮蔽のための前記構造体（４）が、織物又は布によって得られることを特徴とする。
【０００９】
本発明の請求項５に係る照明デバイスは、支持及び／又は遮蔽のための前記構造体（４）が、プラスチック素材によって得られることを特徴とする。
【００１０】
本発明の請求項６に係る照明デバイスは、支持及び／又は遮蔽のための前記構造体（４）が、実質的に網様の形状であることを特徴とする。
【００１１】
本発明の請求項７に係る照明デバイスは、支持及び／又は遮蔽のための前記構造体（４）が、連続展開することを特徴とする。
【００１２】
本発明の請求項８に係る照明デバイスは、前記ベース体（２）が、実質的に網様の形状であることを特徴とする。
【００１３】
本発明の請求項９に係る照明デバイスは、前記ベース体（２）が、連続展開することを特徴とする。
【００１４】
本発明の請求項１０に係る照明デバイスは、前記光源（３）が、前記構造体（４）を介して支持され、ＬＥＤ型の光源であることを特徴とする。
【００１５】
本発明の請求項１１に係る照明デバイスは、前記光源（３）が、前記構造体（４）に組み込まれ、前記構造体（４）と一体的に構成されることを特徴とする。
【００１６】
本発明の請求項１２に係る照明デバイスは、前記光源（３）が、前記構造体（４）へ反転可能に取付け可能であることを特徴とする。
【００１７】
本発明の請求項１３に係る照明デバイスは、前記光源（３）が、前記固着体（４０）へ取付けられることを特徴とする。
【００１８】
本発明の請求項１４に係る照明デバイスは、前記構造体（４）が、前記ベース体（２）の構造体と前記固着体（４０）との間に挿入配置されることを特徴とする。
【００１９】
本発明の請求項１５に係る照明デバイスは、前記ベース体（２）が、金属板によって形成され、前記金属板には完全な切れ目又は不完全な切れ目によって形成された一連の線（２１）が設けられ、前期線（２１）は前記照明デバイス（１）の前記光源（３）の包含に適した中空体を画定しやすいように、折り曲げ可能な部分を規定するものであることを特徴とする。
【００２０】
本発明の請求項１６に係る照明デバイスは、前記ベース体（２）の組立て時において、前記線（２１）が、前記ベース体（２）の周長にわたって延伸するレール又はガイド（２３）を規定する複数の周縁部（２５）を規定し、前記ガイド（２３）が前記固着体（４０）の受入れに適していることを特徴とする。
【００２１】
本発明の請求項１７に係る照明デバイスは、支持又は遮蔽のための前記構造体が、透明及び／又は着色された材料によって作られた筒状部材（４”）で形成され、前記筒状部材の両端部に設けられた磁石（４０）を介して前記ベース体（２）への取付けが可能であることを特徴とする。
【００２２】
本発明の請求項１８に係る照明デバイスは、支持又は遮蔽のための前記構造体が、光源（３）から生じた明かりを遮蔽するために、前記磁石（４０）により前記ベース体（２）への取付けが可能な複数の部材（４’）からなることを特徴とする。
【００２３】
本発明の請求項１９に係る照明デバイスは、前記部材（４’）が、メモ用紙（４６）を付けられるような付加体（４５）を備えることを特徴とする。
【００２４】
本発明の請求項２０に係る照明デバイスは、前記部材（４’）が、互いに結合可能な形状であることを特徴とする。
【００２５】
本発明の請求項２１に係る照明デバイスは、複数の孔（２４１）により図案及び／又は文字が表された追加スクリーン（２４０）を具備し、前記追加スクリーン（２４０）が、前記図案及び／又は文字を前記構造体（４）上に投影するように、前記光源（３）と対応する前記ベース体（２）へ取付け可能であることを特徴とする。
【００２６】
本発明の請求項２２に係る照明デバイスは、前記ベース体（２）が磁気を帯び、前記ベース体（２）に対する前記構造体（４）の前記固着体（４０）が金属性であることを特徴とする。
【００２７】
本発明の請求項２３に係る照明デバイスは、前記ベース体（２）が、位置変更の可能な１つ以上の付属体又はアーム（２２０’）を備え、前記アームが保管又は搬送の段階においては収納され、使用形態においては大きくなることを特徴とする。
【発明の効果】
【００２８】
本発明の利点として、以下のことが挙げられる。たとえば、光源の支持／遮蔽のための構造体の起伏により、前記デバイスによって得られる発光効果が光と影に基づくキアロスクーロの照明効果とともに変更可能である。前記デバイスは配置変更にかかる作業が極めて容易であることに加え、使用中の高い安全性を提供する。前記照明デバイスは、異なる使用状況において同じデバイスを使用して相当数の異なる配置を意図することが可能である。前記デバイスは意図した配置により明白な審美的効果を提供することができる。前記デバイスは取付け／組立てが比較的容易である。前記デバイスは長期間使用後もその特性を変えることなく維持する。
【発明を実施するための最良の形態】
【００２９】
本発明の上記且つ他の利点及び特徴は、本発明の実施例として付与されているが限定的な意味に考慮されない添付図面とあわせて以下の説明を読むことで、当業者の誰もが最適に理解するであろう。
【００３０】
添付の図に関して、本発明による照明デバイス（１）は、強磁性を有する支持体又はベース体（２）と、磁気引力により支持体（２）へ反転可能に取り付け可能な多数の固着体（４０）と、１つ以上の光源（３）を支持及び／又は濾光するための構造体（４）と、を具備し、前記構造体（４）は、様々な配置による前記固着体（４０）により前記支持体（２）への安定取付けが可能である。
【００３１】
前記構造体（４）は、柔軟性のあるもの、又は成形可能なものであり、布、織布、プラスチック素材、紙素材等を使用して作られる。前記構造体（４）は、連続面であっても、不連続面であってもよい。たとえば、網状の形態であってもよく、複数の孔が設けられてもよい。前記光源（３）は低熱放射型又はＬＥＤ型であってもよい。このように、光源が白熱灯又はハロゲンランプの場合、前記構造体（４）のために適宜分離できるようにする材料を使用することもできる。ＬＥＤは前記構造体（４）へ組込むこともでき、前記構造体と一体的に形成することもできる。他の実施形態として、前記光源（３）はフィラメントランプであってもよい。
【００３２】
前記固着体（４０）は磁石を有し、前述したように強磁性を有する材料によって形成される前記ベース体（２）へ取付けられた柔軟／成形可能な前記構造体（４）を維持するために使用される。前記ベース体（２）は、たとえば鉄、鉄鋼等を使用して得ることができる。また、前記ベース体（２）は、「鏡」効果を得られるような金属研磨に適した鋼等であってもよい。この特性により前記デバイスによって得られる照明効果の変更が可能である。また、磁気のある固着部の代わりに、磁気のある前記ベース体（２）へ取付けられるのに適した特性を有する強磁性材料の前記固着体（４０）を使用することもできる。言い換えれば、前記ベース体が磁気を帯びている場合、前記ベース体（２）から引付けられるように、多くの金属体が前記ランプシェードの構造体（４）へ（たとえばリベット、シーム、接着剤等により）取付けられることができる。前記固着体（４０）は前記光源（３）とともに一体的に構成されることが可能である。実際、前記固着体（４０）は前記ベース体（２）及び同時に光源（たとえば、関連する電源回路を有するＬＥＤ型光源）を固着するための磁石を有してもよい。可能な実施形態では、前記構造体（４）と一体的に構成されるように前記光源（３）を柔軟な前記構造体（４）へ組込むこともできる。また、前記光源（３）は、例として着脱可能な接着剤、又はベルクロ（登録商標）等の公知の固着手段等、様々な方法で柔軟な前記構造体（４）へ反転可能に取付けることもできる。
【００３３】
本発明によるデバイス（１）は、極めて容易に可能な形態の変更ができる。実際、磁気的な結合を採用することにより、柔軟又は成形可能な前記構造体（４）は固着対象となるベース体（２）に対して維持又は停止させられる。このように、実質的に無限の異なる形態を得ることができる前記構造体（４）の成型の実施が可能である。したがって、発光及び光と影により形成される効果は極めて多様にできるであろう。
【００３４】
図１〜８及び４１〜４２に関して、ベース体（２）は金属板を使用して作られる。その製造方法は、金属板に一連の線の跡を付けるステップと、完全な切れ目及び不完全な切れ目を形成するステップと、を含み、これにより、たとえばデバイス（１）の光源（３）を包含するために有用な中空体を形成するよう後から折曲げ可能な部分を規定するようにしたものである。
【００３５】
図１〜８において、切れ目線は符号（２１）、中心孔は符号（２２）及び折曲げ線は符号（２０）で示してある。図１で示される例のような平面展開を有する中間製品は、中心孔（２２）に近接して配置された前記２本の折り曲げ線（２０）と対応して、中心で折曲げられる。前記切れ目線（２１）がベース体（２）の金属板をさらなる部分へと細分化する。対で配置された周縁部（２５）は、ベース体（２）の外周に延伸するレール又はガイド（２３）を規定し、内側部分（２４）はベース体（２）内部を画定する帯状体を形成する。上記のように形成された前記構造体の安定性を向上させるために、ネジ等の固定手段によって適切に組み合わされるように孔（２６）が相対称に配置されている。孔（２２）は、ベース体（２）がランプ保持具（３０）の対応するロッド（２９）へ固定されるように前記デバイス（１）のロッド（２９）の上部に嵌込むことができる。この場合、柔軟な構造体即ちランプシェード（４）は実質的に円筒状の構造を有し、構造体（４）の内側に位置するダブルエッジ（４１）を形成するように部材間を接続された２つの半部材によって形成される。ダブルエッジは、縁に沿って連続配置された一連の磁石、又は実質的に縁と同じ長さであり且つ前記縁と重複して線状に伸びる磁石を備える。図において、符号（４０）はダブルエッジの上記した２つの様態を表すために使用される。
【００３６】
図３において示されるように、ランプシェード（４）は上方から前記ベース体（２）に載せられ、ガイド（２３）の内側にダブルエッジ（４１）を挿入する。材料の柔軟性及びガイド（２３）に沿った磁石の可動性により、ランプシェード（４）が変形して、実質的に無限の一連の異なる形態を安定かつ反転可能に取ることのできるランプシェードとなる。図６において、可動方向は概略的に矢印で示してある。
【００３７】
図７はベース体（２）の構造が図５及び６の例と同様の本発明の実施形態を表している。この場合、天井ランプとなるようにベース体（２）はワイヤ又はロープ（２７）を介して吊るされている。さらに、ランプシェード（４）は互いに係合する２つの部材（４４）から形成される。部材（４４）のそれぞれは、図８で視認できるように、１８０°以上円形に展開し、対応する２つの中央ヒンジ（４２）で接続された２つの部材（４４）から形成される。使用形態では、前記ヒンジ（４２）が開いてランプシェードがベース体（２）へ固着され、かつ部材（４４）の周辺部に相対向する部分（４７）を接続する水平な繋ぎロッド（４８）の存在からもベース体（２）への固着が保証される。
【００３８】
また、図４１〜４２の実施例は金属板によって作られるベース体（２）を備えるデバイス（１）に関する。前記ベース体（２）は、図４１で部分的にのみ表されているベース支持部を有するロッド（２９）へ固定されている。この実施例において、図１〜８の例のように、ランプシェード（４）は前記ベース体（２）のガイド又はレール（２３）へ挿入された1つ以上の磁石（４０）によりベース体（２）へ固着される。図４１〜４２のデバイス（１）は光源（３）へ対応してベース体（２）へ取付け可能な追加スクリーン（２４０）を備えるという利点がある。金属によっても形成される追加スクリーン（２４０）は２つの機能を有する。前記追加スクリーン（２４０）はランプシェード（４）からランプ（３）を隔離する保護部を提供し、同時に図案や予めセットされた語句にしたがって配置された一連の孔（２４１）により、ランプの点灯時、前記ランプシェード（４）上に投影される図案（２４１’）が、顕著な審美的効果を提供する。言い換えれば、投影の機能と保護機能は極めて限られた厚みで得られる。
【００３９】
図９〜１５において、照明デバイス（１）は読書用ランプ型である。この場合、ベース体（２）は、ロッド（２９）により支持され、かつ２枚の同一平面板（２）を有し、前記板のそれぞれは一部が重複する２つの円によって形成される。ランプシェード（４）は異なる形態の位置決めを可能にする４つの磁石（４０）によりベース体（２）へ固着される。図１５において、ベース体（２）は楕円形である。図において、矢印はベース体（２）に対する前記ランプシェード（４）の可動方向を示すために使用される。
【００４０】
図１６〜３１において、ベース体（２）は開孔の網状体又は薄板体を有する。具体的には、図１６〜２０において、デバイス（１）は、ベース体（２）が丸面であり、複数の孔を備える読書用ランプによって構成されている。この場合、ランプシェード（４）は前記ベース体（２）への固着を可能にする４つの磁石を備える。図２０において、平面図で前記ベース体（２）の周りのランプシェード（４）の可動方向が示されている。図２１Ａにおいて、前記ベース体（２）がランプ（１）のロッド（２９）上に配置されており、図２１Ｂで視認できる。前記ベース体（２）は丸面及び網状構造を有する。この場合、複数の部材（４’）は前記ベース体（２）に設けられ、前記部材（４’）が光源（３）から生じた明りを遮蔽することができ、特に審美的な効果及び追加的な機能を取り入れることができる。実際、前記部材（４’）は装飾的な形又は図案に形成され得る。たとえば、さらに前記部材（４’）はメモ用紙（４６）を置くことができる追加体（４５）を備えてもよい。実際に、図２１Ｃの実施例のように、部材（４’）は、部材（４’）とは異なる磁石（４０）によりベース体（２）へ取付けられる。または図２１Ｄ〜Ｈの実施例のように、同じ部材（４’）で一体的に形成してもよい。図２１Ｆにおいて、ベース体（２）はブラケットランプを作るために有用である。前記ブラケットランプは網状型であり、曲線をなす側面を有する。さらに、前記ベース体（２）は壁にデバイスを固着可能にする折曲部（４３）を備える。図２２の実施例はベース体（２）が４つの丸い突出面を有し、孔を備えた読書用ランプ（１）に関する。この実施例において、図２１Ａ〜Ｆの実施例と同様の部材（４’）は相互に組み合わせられるように一致する側面体を有する。具体的には、前記部材（４’）はランプの基部（２９０）により支持されることが可能であり、脚部（２９０）の表面を完全に覆うように側面体が組合わされる。言い換えれば、前記ランプ脚部（２９０）の被覆物は前記部材（４’）及び対応する固着磁石（４０）を使用して得られる。
【００４１】
図２４〜２５においては、デバイス（１）はランプシェード（４）が磁石（４０）によって互いに保持される１層（図２４）又は２層（図２５）のブラケットランプである。図２６（デバイスは平面図及び正面図によって表される）においては、ベース体（２）が実質的に円形の側面体で網目を備えるブラケットランプ（１）を示す。磁石（４０）で前記ベース体（２）に固着された２つのランプシェード（４）は曲線状の側面体を有する。このように、前記ベース体（２）の縦方向部分は異なる撓みを有する２つの部分へ分割される。この特徴により顕著な陰影のキアロスクーロ効果で特定の光拡散を決定する。
【００４２】
図２７のブラケットランプ（１）は実質的に円形のベース体（２）を有し、その表面全体に施された孔を備える。前記ベース体（２）には、様々に適合された多数の遮蔽部材（４’）が磁石（４０）により固着されている。前記部材（４’）は様々な色の付いた光を透過することができ、この場合特殊な色彩効果を提供する。
【００４３】
図２８，２９の実施例において、遮蔽構造体は、好ましくは透明材料から、又は着色された材料から作られる筒状部材（４”）を有する。前記部材（４”）はその両端に磁石（４０）を備えるのでベース体（２）へ取付けられる。前記磁石（４０）は孔に対応してベース体（２）へ適切に固着できるような輪状構造を有し、筒状部材（４”）を介して光によって交差される。図２８の実施例では、光源（３）は白熱電球（３）であり、図２９の実施例では光源はＬＥＤ（３）を備える。
【００４４】
図３０及び３１の実施例では、前記スクリーン（４）は金属やプラスチック素材等によって作られる比較的硬質のフレーム（４９）を備え、実質的に円形展開する平面材料（布、織布、紙等）の一部からなる。この場合、スクリーン（４）とベース体（２）の間の接続部は、ベース体（２）に取付けられた磁石（４０）を備え、かつ前記ベース体（２）と前記磁石（４０）間には前記スクリーン（４）の挿入物を備える。
【００４５】
図３２〜４０では（磁石（４０）によりベース体（２）へ取付けられている）スクリーン（４）の取ることができる位置及び磁石（４０）の位置が破線によって模式的に表される。
【００４６】
図３２，３３及び３４において、光源はＬＥＤ型である。図３５及び３６で示される実施例では光源（３）は白熱灯型である。
【００４７】
ＬＥＤ型の場合は、ランプシェード（４）の織布へ磁石（４０）のように組み込むことができる。
【００４８】
ベース体（２）は、強磁性を有する研磨金属等の反射材料によって形成される。このように、デバイス（１）の照明効果をさらに増大する鏡が得られるであろう。
【００４９】
図３７及び３８の実施例では、ベース体（２）はスクリーン（４）へ接続された２つの滑動部（５）を動かす中央ガイド又はレール（２８）を形成する２つの部分に分けられる。このように、デバイス（１）によって提示される構造を変更することも可能である。
【００５０】
図３９及び４０では、デバイス（１）はランプシェード（４）が配置されたベース体（２）を有する読書用ランプである。前記ランプシェード（４）は、下部に対応して安定するようにし、前記ランプシェード（４）の取付けを前記ベース体（２）とともに変えることが可能な磁石（４０）を備える。前記ランプシェード（４）は（底辺の大きい方が上の）逆円錐台に形成される。前記ランプシェード（４０）は前記ベース体（２）に関しては図において破線で示すように回転可能である。何故ならば、前記デバイス（１）の（強磁性を有する金属性）前記ベース体（２）と接触しているランプシェードの小さい方の辺の周囲に沿って前記磁石（４０）が配置されているからである。
【００５１】
図４３Ａ〜Ｃはスクリーンを形成する織布（又は別の材料）を固定する外枠（４０２）及びベース体（２）と一致する周長を有する内孔を備える内枠（４００）を備えるランプシェード（４）を示している。２つの枠は１つ以上の繋ぎロッド（４０１）により接続される。ランプシェードの織布上に磁石（４０）が固着される。この実施形態において、前記ベース体（２）は壁に固着され、前記ベース体（２）へ内枠（４００）が接続されることによりランプシェード（４）が前記ベース体（２）へ固着される。組立て段階では、この固着は極めて容易である。
【００５２】
図４４及び４５の実施例では、ベース体（２）は付属体又はアーム（２２０）及び（２２０’）を備える。具体的には、デバイス（１）の使用形態において、アーム（２２０’）が「開く」ようにそれらの隣接面に対応してヒンジ止めされている。このように、収納及び搬送の段階では余剰部を収納することができる。使用形態においてはベース体（２）とランプシェード（４）の間の連結点が増え、また連結区域の面積も増え、そのためベース体（２）には比較的高い寸法のランプシェードが適用される。
【図面の簡単な説明】
【００５３】
【図１】本発明によって得られる照明デバイスのための支持体の実施例を示しており、使用形態における前記支持体の斜視図である。
【図２】本発明によって得られる照明デバイスのための支持体の実施例を示しており、前記支持体を形成するために使用できる中間製品の平面図である。
【図３】図１と類似の配置の支持体又はベース体を有する前記デバイスの他の可能な実施例を示しており、具体的には、部分的にランプシェードで覆われている組立て時の構造体を表す斜視図である。
【図４】図１と類似の配置の支持体又はベース体を有する前記デバイスの他の可能な実施例を示しており、具体的には、使用時における前記照明デバイスを表している。
【図５】図１と類似の配置の支持体又はベース体を有する前記デバイスの他の可能な実施例を示しており、具体的には、組立前の構造体の平面図である。
【図６】図１と類似の配置の支持体又はベース体を有する前記デバイスの他の可能な実施例を示しており、具体的には、その使用形態における構造体の斜視図である。
【図７】図１と類似の配置の支持体又はベース体を有する前記デバイスの他の可能な実施例を示しており、具体的には、使用形態における前記デバイスの他の実施例の斜視図である。
【図８】図１と類似の配置の支持体又はベース体を有する前記デバイスの他の可能な実施例を示しており、具体的には、図７の特定部分の斜視図である。
【図９】本発明によるデバイスのさらに可能な実施形態を示しており、具体的には、使用形態におけるデバイスの側面図である。
【図１０】本発明によるデバイスのさらに可能な実施形態を示しており、具体的には、使用形態におけるデバイスの前面図である。
【図１１】本発明によるデバイスのさらに可能な実施形態を示しており、具体的には、支持体への可能なスクリーンの固着方法を示している。
【図１２】本発明によるデバイスのさらに可能な実施形態を示しており、具体的には、支持体への可能なスクリーンの固着方法を示している。
【図１３】本発明によるデバイスのさらに可能な実施形態を示しており、具体的には、支持体への可能なスクリーンの固着方法を示している。
【図１４】本発明によるデバイスのさらに可能な実施形態を示しており、具体的には、支持体への可能なスクリーンの固着方法を示している。
【図１５】本発明によるデバイスのさらに可能な実施形態を示しており、具体的には、異なる型の支持体を示している。
【図１６】本発明による読書用ランプを構成するデバイスのさらに可能な実施形態を示している。
【図１７】本発明による読書用ランプを構成するデバイスのさらに可能な実施形態を示している。
【図１８】本発明による読書用ランプを構成するデバイスのさらに可能な実施形態を示している。
【図１９】本発明による読書用ランプを構成するデバイスのさらに可能な実施形態を示している。
【図２０】本発明による読書用ランプを構成するデバイスのさらに可能な実施形態を示している。
【図２１Ａ】本発明による読書用ランプを構成するデバイスのさらに可能な実施形態を示している。
【図２１Ｂ】本発明による読書用ランプを構成するデバイスのさらに可能な実施形態を示している。
【図２１Ｃ】本発明による読書用ランプを構成するデバイスのさらに可能な実施形態を示している。
【図２１Ｄ】本発明による読書用ランプを構成するデバイスのさらに可能な実施形態を示している。
【図２１Ｅ】本発明による読書用ランプを構成するデバイスのさらに可能な実施形態を示している。
【図２１Ｆ】本発明によるブラケットランプを構成するデバイスのさらに可能な実施形態を示している。
【図２２】本発明による読書用ランプを構成するデバイスのさらに可能な実施形態を示している。
【図２３】本発明によるブラケットランプを構成するデバイスのさらに可能な実施形態を示している。
【図２４】本発明によるブラケットランプを構成するデバイスのさらに可能な実施形態を示している。
【図２５】本発明によるブラケットランプを構成するデバイスのさらに可能な実施形態を示している。
【図２６】本発明によるブラケットランプを構成するデバイスのさらに可能な実施形態を示している。
【図２７】本発明によるブラケットランプを構成するデバイスのさらに可能な実施形態を示している。
【図２８】ベース体に取付け可能な筒状体を備える本発明の実施形態を示している。
【図２９】ベース体に取付け可能な筒状体を備える本発明の実施形態を示している。
【図３０】ベース体へ取付けられた遮蔽板を備える本発明の他の実施形態を図式的に斜視図で示している。
【図３１】ベース体へ取付けられた遮蔽板を備える本発明の他の実施形態を図式的に斜視図で示している。
【図３２】光源をＬＥＤによって形成された本発明の他の実施形態に関する。
【図３３】光源をＬＥＤによって形成された本発明の他の実施形態に関する。
【図３４】光源をＬＥＤによって形成された本発明の他の実施形態に関する。
【図３５】光源を白熱灯によって形成された本発明の他の実施形態に関する。
【図３６】光源を白熱灯によって形成された本発明の他の実施形態に関する。
【図３７】光源をＬＥＤによって形成された本発明の他の実施形態に関する。
【図３８】光源をＬＥＤによって形成された本発明の他の実施形態に関する。
【図３９】スクリーン又はランプシェードが調節可能である読書用ランプを構成する本発明の実施形態を図式的に斜視図で示している。
【図４０】スクリーン又はランプシェードが調節可能である読書用ランプを構成する本発明の実施形態を図式的に斜視図で示している。
【図４１】分解斜視図で表されるランプシェードのない本発明の実施形態を示している。
【図４２】斜視図で表されるランプシェード付きの本発明の実施形態を示している。
【図４３Ａ】本発明のさらなる実施形態を示しており、ランプシェードに関する。
【図４３Ｂ】本発明のさらなる実施形態を示しており、支持体に関する。
【図４３Ｃ】本発明のさらなる実施形態を示しており、使用時に組み立てられた前記２部材を示している。
【図４４】支持体又はベース体が付属体あるいはアームを備えたさらなる実施形態の正面図であり、前記ベース体を示している。
【図４５】支持体又はベース体が付属体あるいはアームを備えたさらなる実施形態の正面図であり、使用時におけるデバイスを示している。
【符号の説明】
【００５４】
（１）：照明デバイス（ランプ、読書用又はブラケットランプ）、（２）：ベース体又は支持体（同一平面板）、（３）：光源（ランプ、白熱電球、ＬＥＤ）、（４）：構造体（ランプシェード、スクリーン）、（４’）：部材、（４”）：筒状部材、（５）：滑動部、（２０）：折り曲げ線、（２１）：一連の線（切れ目線）、（２２）：中心孔（孔）、（２３）：レール又はガイド、（２４）：内側部分、（２５）：周縁部、（２６）：孔、（２７）：ワイヤ又はロープ、（２８）：中央ガイド又はレール、（２９）：ロッド、（３０）：ランプ保持具、（４０）：固着体（磁石）、（４１）：ダブルエッジ、（４２）：中央ヒンジ、（４３）：折曲部、（４４）：部材、（４５）：付加体、（４６）：メモ用紙、（４７）：部分、（４８）：繋ぎロッド、（４９）：フレーム、（２２０及び２２０’）：アーム、（２４０）：追加スクリーン、（２４１）：孔、（２４１’）：図案、（２９０）：基部（脚部）、（４００）：内枠、（４０１）：繋ぎロッド、（４０２）：外枠。
【図１】
2009526348.tif 000003
【図２】
2009526348.tif 000004
【図３】
2009526348.tif 000005
【図４】
2009526348.tif 000006
【図５】
2009526348.tif 000007
【図６】
2009526348.tif 000008
【図７】
2009526348.tif 000009
【図８】
2009526348.tif 000010
【図９】
2009526348.tif 000011
【図１０】
2009526348.tif 000012
【図１１】
2009526348.tif 000013
【図１２】
2009526348.tif 000014
【図１３】
2009526348.tif 000015
【図１４】
2009526348.tif 000016
【図１５】
2009526348.tif 000017
【図１６】
2009526348.tif 000018
【図１７】
2009526348.tif 000019
【図１８】
2009526348.tif 000020
【図１９】
2009526348.tif 000021
【図２０】
2009526348.tif 000022
【図２１】
2009526348.tif 000023
【図２２】
2009526348.tif 000024
【図２３】
2009526348.tif 000025
【図２４】
2009526348.tif 000026
【図２５】
2009526348.tif 000027
【図２６】
2009526348.tif 000028
【図２７】
2009526348.tif 000029
【図２８】
2009526348.tif 000030
【図２９】
2009526348.tif 000031
【図３０】
2009526348.tif 000032
【図３１】
2009526348.tif 000033
【図３２】
2009526348.tif 000034
【図３３】
2009526348.tif 000035
【図３４】
2009526348.tif 000036
【図３５】
2009526348.tif 000037
【図３６】
2009526348.tif 000038
【図３７】
2009526348.tif 000039
【図３８】
2009526348.tif 000040
【図３９】
2009526348.tif 000041
【図４０】
2009526348.tif 000042
【図４１】
2009526348.tif 000043
【図４２】
2009526348.tif 000044
【図４３】
2009526348.tif 000045
【図４４】
2009526348.tif 000046
【図４５】
2009526348.tif 000047
【国際調査報告】
2009526348.tif 000048
2009526348.tif 000049
2009526348.tif 000050